(57)【要約】【課題】  入力画像データの信号レベルに応じて光量を調光する際に、表示品位を向上させた画像処理装置を提供すること。【解決手段】  外部からの画像信号に基づいて画像を表示する表示装置であって、光源と、前記光源から射出された光の光量を制御する光量制御部と、前記画像信号の信号レベルを制御する画像処理部と、前記画像信号に基づいて前記光量制御部と前記画像処理部を制御する制御部と、を有し、前記制御部は、前記画像信号が変化した場合、前記光量制御部により制御する光量が、変化した前記画像信号に対応する光量になるよりも早く、前記画像処理部による前記画像信号の信号レベルが、変化した前記画像信号に対応する信号レベルとなるように制御することを特徴とする。【選択図】  図１
2019028130.tif 000002
【特許請求の範囲】
【請求項１】
外部からの画像信号に基づいて画像を表示する表示装置であって、
光源と、
前記光源から射出された光の光量を制御する光量制御部と、
前記画像信号の信号レベルを制御する画像処理部と、
前記画像信号に基づいて前記光量制御部と前記画像処理部を制御する制御部と、
を有し、
前記制御部は、前記画像信号が変化した場合、
前記光量制御部により制御する光量が、変化した前記画像信号に対応する光量になるよりも早く、前記画像処理部による前記画像信号の信号レベルが、変化した前記画像信号に対応する信号レベルとなるように制御する
ことを特徴とする表示装置。
【請求項２】
前記制御部は、前記信号レベルが暗いレベルから明るいレベルに変化した場合、
前記光量制御部により制御する光量が、変化した前記画像信号に対応する光量になるよりも早く、前記画像処理部による前記画像信号の信号レベルが、変化した前記画像信号に対応する信号レベルとなるように制御する
ことを特徴とする請求項１に記載の表示装置。
【請求項３】
前記制御部は、
前記信号レベルが暗いレベルから明るいレベルに変化した場合、
前記画像信号が有する色成分の構成比を維持するように前記画像処理部により前記信号レベルを制御し、
前記信号レベルが明るいレベルから暗いレベルに変化した場合、
前記光量制御部による前記光量の変化を補うように前記画像処理部により前記信号レベルを制御する
ことを特徴とする請求項１に記載の表示装置。
【請求項４】
前記画像信号に基づいて画像情報を導出する信号検出部を有し、
前記制御部は、前記画像情報に基づいて前記光量制御部と前記画像処理部を制御する
ことを特徴とする請求項１乃至３の何れか一項に記載の表示装置。
【請求項５】
前記画像情報を記憶する記憶手段を有し、
前記信号検出部は、所定の時間毎に前記画像情報を導出するとともに前記記憶手段に記憶させ、
前記制御部は、前記画像情報と前記記憶手段に記憶されている画像情報とに基づいて、前記画像信号が暗いレベルから明るいレベルに変化したか否かを判定する
ことを特徴とする請求項４に記載の表示装置。
【請求項６】
前記画像情報は、前記画像信号の信号レベルの平均値であることを特徴とする請求項４または５に記載の表示装置。
【請求項７】
前記画像情報は、前記画像信号の信号レベルの分布を示すヒストグラムであることを特徴とする請求項４または５に記載の表示装置。
【請求項８】
前記光量制御部は、前記光源から前記画像を投射する投射光学系の光路上に遮光部材を有することを特徴とする請求項１乃至７の何れか一項に記載の表示装置。
【請求項９】
前記光源は固体光源であり、前記光量制御部は、前記固体光源の明るさを制御することにより光量を制御することを特徴とする請求項１乃至７の何れか一項に記載の表示装置。
【請求項１０】
光源と、前記光源から射出された光の光量を制御する光量制御部と、画像信号の信号レベルを制御する画像処理部と、を有する表示装置のコンピュータを動作させるコンピュータプログラムであって、
前記コンピュータに、前記画像信号が変化した場合、前記光量制御部により制御する光量が、変化した前記画像信号に対応する光量になるよりも早く、前記画像処理部による前記画像信号の信号レベルが、変化した前記画像信号に対応する信号レベルとなるように制御させる
ことを特徴とする表示装置の制御プログラム。
【発明の詳細な説明】
【技術分野】
【０００１】
本発明は、表示装置、及び表示装置制御プログラムに関するものである。
【背景技術】
【０００２】
従来、画像投射装置において、表示画像のコントラストを向上するため、入力画像データに応じて光量を調整する技術が提案されている。
【０００３】
例えば、特許文献１には、入力画像データに応じて、光源から照射される光を遮光する遮光部材を制御し、光量を調整すると共に入力画像データの信号レベルを補正する技術が開示されている。
【０００４】
また、特許文献２には、入力画像データの信号レベルが暗いレベルから明るいレベルへと変動する場合に、光源から照射される光量を調整する絞りの応答速度を速く制御する技術が開示されている。
【先行技術文献】
【特許文献】
【０００５】
【特許文献１】特開２０１４−１８７４６０号公報
【特許文献２】特開２００６−１３３７５０号公報
【発明の概要】
【発明が解決しようとする課題】
【０００６】
しかしながら、特許文献１に開示された技術では、遮光部材の位置に応じて信号レベルの補正量が決定される。従って、暗いシーンから明るいシーンに変化したとき、遮光部材が調光している間、明るい信号レベルに対して信号レベルを上げるように補正が行われるため、画像データの信号レベルが飽和し表示画像が白飛びし、表示品位が低下する問題があった。
【０００７】
また、特許文献２に開示された技術では、遮光部材である絞りをモーターなどで駆動制御しているため、応答速度を速くすることが難しい。従って、暗いシーンから明るいシーンに変化したとき、絞りの応答期間中に明るいシーンに対して信号レベルを上げるように補正が行われ、信号レベルが飽和し表示画像が白飛びし、表示品位が低下する問題があった。
【０００８】
そこで、本発明は、入力画像データの信号レベルに応じて光量を調光する際に、表示品位を向上させた画像処理装置を提供することを目的とする。
【課題を解決するための手段】
【０００９】
上述した課題を解決するために、本発明に関わる画像処理装置は、外部からの画像信号に基づいて画像を表示する表示装置であって、光源と、前記光源から射出された光の光量を制御する光量制御部と、前記画像信号の信号レベルを制御する画像処理部と、前記画像信号に基づいて前記光量制御部と前記画像処理部を制御する制御部と、を有し、前記制御部は、前記画像信号が変化した場合、前記光量制御部により制御する光量が、変化した前記画像信号に対応する光量になるよりも早く、前記画像処理部による前記画像信号の信号レベルが、変化した前記画像信号に対応する信号レベルとなるように制御することを特徴とする。
【発明の効果】
【００１０】
本発明によれば、入力画像データの信号レベルに応じて光量を調光する際に、表示品位を向上させた画像処理装置を提供することを目的とする。
【図面の簡単な説明】
【００１１】
【図１】画像投射装置の一例を示すブロック図
【図２】ＡＰＬ値と光量制御値の関係を示す模式図
【図３】光量制御値と出力光量の関係を示す模式図
【図４】光量制御値とゲイン値の関係を示す模式図
【図５】制御部のフローチャート
【図６】入力画像信号の一例
【図７】ＡＰＬ値の時間推移を示す模式図
【図８】光量制御値の時間推移を示す模式図
【図９】調光後の光量の時間推移を示す模式図
【図１０】ゲイン値の時間推移を示す模式図
【図１１】実施例２に係る制御部の一部の構成を示すブロック図
【発明を実施するための形態】
【００１２】
〔実施例１〕
以下に、本発明の好ましい実施の形態を、添付の図面に基づいて詳細に説明する。図１は、本発明の実施例１に係る画像投射装置（表示装置）の全体構成図である。
【００１３】
画像投射装置は、画像信号入力部１０１、画像信号検出部１０２、制御部１０３、光源部１０４、光量制御部１０５、画像処理部１０６、表示パネル部１０７と投射光学部１０８から構成される。
【００１４】
画像信号入力部１０１は、例えば、ＨＤＭＩ（登録商標）、ＤＶＩ（Ｄｉｇｉｔａｌ  Ｖｉｓｕａｌ  Ｉｎｔｅｒｆａｃｅ）、ＤｉｓｐｌａｙＰｏｒｔなどの画像信号の入力端子である。画像信号入力部１０１は、パーソナルコンピュータやビデオプレイヤーなどの外部の画像信号出力機器と接続される。画像信号入力部１０１は、画像信号出力機器が出力する画像信号を入力画像信号として受信し、受信した入力画像信号を画像信号検出部１０２に出力する。
【００１５】
画像信号検出部１０２は、画像信号入力部１０１が出力する入力画像信号の画像情報を導出する。画像情報として、例えば、入力画像信号の１フレーム毎にＡＰＬ値（Ａｖｅｒａｇｅ  Ｐｉｃｔｕｒｅ  Ｌｅｖｅｌ、平均画像レベル）を導出する。ＡＰＬ値は、入力画像信号の信号レベルの平均値であり、入力画像信号が明るい場合は信号レベルが高くなるので大きな値となり、入力画像信号が暗い場合は信号レベルが低くなるので小さな値となる。画像信号検出部１０２は、入力画像信号を画像処理部１０６に出力すると共に導出したＡＰＬ値を制御部１０３に出力する。
【００１６】
なお、本実施例における画像信号検出部１０２は、画像情報として入力画像信号のＡＰＬ値を導出するが、入力画像信号の信号レベルの分布を示すヒストグラムを導出するようにしても良い。ヒストグラムを導出した場合には、例えば、中央値、最頻値などを画像情報として制御部１０３に出力する。本実施例においては、画像情報としてＡＰＬ値を用いた場合について説明する。
【００１７】
制御部１０３は、画像信号検出部１０２が検出したＡＰＬ値に基づいて、後述の光源部から射出される光の光量を調整する光量制御値を決定する。図２は、画像信号検出部１０２が検出したＡＰＬ値と光量制御値の関係を示す模式図である。横軸はＡＰＬ値を示し、縦軸は光量制御値を示している。図２において、ＡＰＬ値が低い場合、すなわち、入力画像信号の信号レベルが低く暗い画像である場合、光量制御値は小さい値となる。ＡＰＬ値が高い場合、すなわち、入力画像信号の信号レベルが高く明るい画像である場合、光量制御値は大きい値となる。光量制御部１０３は、決定した光量制御値を光量制御部１０５と画像処理部１０６に出力する。
【００１８】
光源部１０４は、高圧水銀ランプ、ハロゲンランプ、メタルハライドランプなどのランプや、ＬＥＤ（Ｌｉｇｈｔ  Ｅｍｉｔｔｉｎｇ  Ｄｉｏｄｅ）、半導体レーザーなどの固体光源などの光源である。
【００１９】
光量制御部１０５は、制御部１０３が出力する光量制御値に基づいて光源部から射出された光の光量を調光する。光量制御部１０５は、絞り、又は、シャッターなどの光学部材（遮光部材）とモーターなどの駆動部から構成される。光量制御部１０５は、光量制御値に基づきモーターを駆動し、光学部材の開口径、又は、開閉状態などを変化させることで光源部１０４が出力する光の遮光量を調整し調光する。
【００２０】
光量制御部１０５で調光した光は、表示パネル部１０７を照射する。図３は、光量制御値と光量制御部１０５により調光された光量の関係を示す模式図である。横軸は光量制御値を示し、縦軸は光量制御部１０５により調光された光量（光量制御部１０５から出力される光量）を示している。光量は、表示パネル部１０７を照射する光量が光学部材で遮光されていない（最も照射する光量が多い）状態を１として示している。しかし、光学部材はモーターなどの駆動部によって駆動されるため、調光された光量が目的の光量になるまでに時間がかかる。図３は、調光された光量が目的の光量になった時の状態（定常状態）の場合の光量制御値と光量の関係である。
【００２１】
図３において、光量制御部１０５は、光量制御値が大きい場合は遮光量が小さくなるように制御し、光量制御部１０５から出力される光量を多くする。また、光量制御値が小さい場合は遮光量が大きくなるように制御し、光量制御部１０５から出力される光量を少なくする。なお、本実施例では、光源部１０４から射出された光量を光量制御部１０５が調光することで光量の制御を行うが、光量制御部１０５は表示パネル部１０７と投射光学部１０８の光路上、あるいは、投射光学部１０８の内部に位置するようにしても良い。また、光源部１０４が出力光量を調整可能である場合には、光量制御部１０５を省略し、制御部１０３が出力する光量制御値を光源部１０４へ供給し、光源部１０４の出射光量を調整することで調光するようにしても良い。この場合でも、調光された光量が目的の光量になるまでには、前述の光学部材の場合よりも短くなるが、時間がかかる。
【００２２】
また、制御部１０３は、画像処理部１０６において画像信号を補正（制御）する際の補正量を決定する。本実施例において補正量はゲイン値であるとして説明するが、補正量は入力画像信号の信号レベル（画像の明るさ）を補正する量であれば良く、例えばガンマ補正量などであっても良い。
【００２３】
図４は、制御部１０３が出力する光量制御値とゲイン値の関係を示す模式図である。横軸は光量制御値を示し、縦軸はゲイン値を示している。光量制御値が小さい場合は、光量制御部１０５によって光量が少なく調光されるため、表示パネル部１０７を照射する光量が少なくなる。そのため、図４において、光量制御値が小さい時は、表示パネル部１０７を照射する光量の低下による表示画像の明るさの減少を補うように、画像信号の信号レベルの補正量であるゲイン値を大きくする。反対に、光量制御値が大きい時は、表示パネル部１０７を照射する光量が多いのでゲイン値を小さくする。制御部１０３は補正量であるゲイン値を画像処理部１０６に出力する。
【００２４】
画像処理部１０６は、画像信号に対し、解像度変換、色調整、レベル補正など、所望の映像処理を行う。レベル補正は、制御部１０３が決定したゲイン値を画像信号に対し乗算することで画像信号の信号レベルを補正する。画像処理部１０６は、処理した出力画像信号を表示パネル部１０７に出力する。
【００２５】
表示パネル部１０７は、光量制御部１０５から出力される光を例えば３色（ＲＧＢ）に色分離し、分離した光を各色毎それぞれの光変調デバイスで出力画像信号に基づいて変調し、変調後の光を合成し、合成後の光を投射光学部１０８に出力する。光変調デバイスは、例えば、多数の画素を有する液晶パネルやＤＭＤ（デジタルミラーデバイス）などである。
【００２６】
投射光学部１０８は、投射レンズなどの投射光学系で構成されており、表示パネル部１０７で変調された光をスクリーンに投射するとともにフォーカス制御やズーム制御などを行う。
【００２７】
以上の構成により本実施例では、画像信号が全体的に暗い場合は、画像信号検出部１０２が検出するＡＰＬ値が小さくなり、制御部１０３が出力する光量制御値が小さくなるので、光量制御部１０５が光量を少なくする。そのため、表示画像の暗い領域がより暗く表現される。また、ゲイン値を大きくすることで、全体的に暗い表示画像の明るい領域が暗くなることを低減することができる。
【００２８】
一方、画像信号が全体的に明るい場合は、画像信号検出部１０２が検出するＡＰＬ値が大きくなり、制御部１０３が出力する光量制御値が大きくなるので、光量制御部１０５の光量が多くなる。そのため、表示画像の明るい領域が明るく表現される。
【００２９】
以下、図５のフローチャートを参照して、本実施例における制御部１０３の動作を説明する。この処理は、制御部１０３がコンピュータプログラム（表示装置制御プログラム）に従って、所定の時間毎に実行する。
【００３０】
動作の一例として、時刻ｔ０−ｔ８の各時刻毎に本フローチャートの処理が実行され、画像信号入力部１０１に時刻ｔ０から時刻ｔ１の期間は図６（Ａ）に示す画像１、時刻ｔ１から時刻ｔ８の期間は図６（Ｂ）に示す画像２が入力された場合について説明する。
【００３１】
図６（Ａ）に示す画像１及び図６（Ｂ）に示す画像２は赤色成分、緑色成分、青色成分の３色の信号レベルを有する画像であり、信号レベルは０から２５５の８ビットの値で表現する。画像１は、領域２０１の信号レベル（赤色成分、緑色成分、青色成分）が（０、０、０）であり、画像の中央部に信号レベルが０より大きい信号レベルをもつ領域があるが、全体的に暗い画像である。図６（Ｂ）に示す画像は領域２０２の信号レベルは（２５５、２５５、２５５）、領域２０３の信号レベルは（２５５、１２８、１２８）であり、全体的に明るい画像である。
【００３２】
Ｓ１０では、画像信号検出部１０２が導出した、画像信号入力部１０１に入力された入力画像信号のＡＰＬ値を取得する。図７にＡＰＬ値の推移の一例を示す。横軸は時刻を示し、縦軸は画像信号検出部１０２が検出したＡＰＬ値を示す。時刻ｔ０では、全体的に暗い画像１が入力されたためＡＰＬ値としてＡ１が導出され、時刻ｔ１から時刻ｔ８では、全体的に明るい画像２が入力されたため、その期間のＡＰＬ値はＡ１と比較して高い値であるＡ２が導出される。
【００３３】
Ｓ１１では、取得したＡＰＬ値に基づいて光量制御値を決定する。図８に光量制御値の推移の一例を示す。横軸は時刻を示し縦軸は光量制御値を示す。時刻ｔ０では、ＡＰＬ値がＡ２と比較して小さい値Ａ１であり、図２に従い光量制御値はＢ１と決定する。時刻ｔ１からｔ８では、ＡＰＬ値がＡ１と比較して大きい値Ａ２であり、図２に従い光量制御値はＢ１と比較して大きい値Ｂ２と決定する。本実施例では、光量制御値をＡＰＬ値の関数として決定したが、テーブルデータとしてＡＰＬ値と光量制御値の関係を予め不図示の記憶部に記憶し、ＡＰＬ値を読み出しアドレスとして光量制御値を決定しても良い。
【００３４】
Ｓ１２では、決定した光量制御値を光量制御部１０５に通知し、光量を調整する。図９は、通知した後の光量の推移の一例である。横軸は時刻を示し縦軸は光量制御部１０５が調光した後の光量を示す。時刻ｔ０では、光量制御値は小さい値Ｂ１であるため、調光後の光量は図９のＣ１に示すように少なくなる。時刻ｔ１では、光量制御値がＢ１からＢ２に変化する。しかし、光量制御値を通知した後、光量制御部１０５による光量がその光量制御値に対応する光量となるまでに所定の時間が必要となる。つまり、光量制御値Ｂ１に対応する光量Ｃ１から光量制御値Ｂ２に対応する光量Ｃ２となるまで、時刻ｔ１から時刻ｔ８の時間が必要になる。
【００３５】
Ｓ１３では、決定した光量制御値に基づいてゲイン値を決定する。図１０は、ゲイン値の推移の一例である。横軸は時刻を示し縦軸はゲイン値を示す。３０１で示す点線は、図９における光量制御部１０５の光量変化による投射画像の明るさの変化を補うように画像信号のレベルを明るくする場合のゲイン値の推移である。すなわち、調光後の光量をＣ、ゲイン値をＧとすると、Ｇ＝１÷Ｃの関係式となるように制御した場合のゲイン値の推移である。また、３０２で示す実線は、光量制御部１０５の光量変化によらず光量制御値に基づいて画像信号のレベルを変化させる場合のゲイン値の推移である。
【００３６】
本実施例における光量制御部１０５は、ゲイン値を３０２で示す実線のように決定する。
【００３７】
ここで、その効果について説明する。図１０の時刻ｔ２のゲイン値は、３０１ではＧ３である。例えば、ゲイン値Ｇ３が２倍であった場合、画像２の領域２０３は信号レベル（２５５、１２８、１２８）なので、２倍のゲイン値を乗算すると信号レベルは（２５５、２５５、２５５）となる。すなわち、信号レベルが飽和し白飛びが発生し色が変わってしまう。
【００３８】
一方、図１０の時刻ｔ２のゲイン値は、３０２ではＧ２である。例えば、ゲインＧ２が１倍であった場合、画像２の領域２０３の信号レベル（２５５、１２８、１２８）に対して１倍のゲインを乗算すると信号レベルは（２５５、１２８、１２８）となる。つまり、光量制御部１０５の光量変化による投射画像の明るさの変化を補うようにゲイン値を制御するよりも、ゲイン値が早く光量制御値に基づいたゲイン値となるため、明るい画像の信号レベルの飽和を軽減することができる。
【００３９】
Ｓ１４では、画像処理部１０６はＳ１３において決定されたゲイン値（図１０の３０２で示すゲイン値）に基づいて画像信号のレベルを補正（制御）する。
【００４０】
Ｓ１５では、調光制御を終了するか否かを判定する。終了したか否かの判定は、光量制御部１０５による光量がその光量制御値に対応する光量となったか否かで判定する。例えば、予め光学部材の状態と光量との関係をテーブルデータとして不図示の記憶部に記憶し、  光学部材に位置検出センサーなどを設けて、光学部材の状態（開口径や開閉状態）などを検出し、テーブルデータから光量を取得し、判定することができる。本実施例の場合、時刻ｔ０では、画像１に対する調光制御として、すでに光量制御部１０５による光量がその光量制御値に対応する光量になっているため、調光制御を終了し、時刻ｔ１に再度、フローチャートの処理を実行する。時刻ｔ１からｔ８までは図９に示すように画像２に対する調光途中のためＳ１２に戻り調光を継続する。時刻ｔ８では、光量制御部１０５による光量がその光量制御値に対応する光量となったため、画像２に対する調光制御を終了する。
【００４１】
以上のように実施例１によれば、特に画像信号のレベルが暗いシーンから明るいシーンに変化した場合、光量制御部１０５の光量変化よりも、画像信号のレベルが早く変化するため、明るい画像の信号レベルの飽和を軽減し、表示品位を向上させることができる。
【００４２】
〔実施例２〕
次に本発明の実施例２について添付の図面に基づいて詳細に説明する。実施例１との相違点は制御部１０３に、明度維持補正部１１０、色度維持補正部１１１、選択部１１２が付加された点である。なお実施例１と重複する構成に関しては適宜説明を省略する。
【００４３】
図１１は、図１に示す画像処理装置の制御部１０３の内部構成の一部であり、ここでは、画像処理部１０６において画像信号を補正する際の補正量を決定する。
【００４４】
図１１において、３０３から画像信号検出部１０２が出力するＡＰＬ値が入力され、３０５から画像信号補正部１０７へ補正量を出力する。
【００４５】
明度維持補正部１１０は、ＡＰＬ値に応じて光量を制御した際の光量低下による明るさの減少を補うようにゲイン値を決定する。光量制御部１０５によって調光後の光量をＣとすると明度維持補正部１１０はゲイン値Ｇ２１を式１のように決定する。
Ｇ２１＝  １  ÷  Ｃ      ・・・（式１）
【００４６】
色度維持補正部１１１は、色度が変化しない範囲で、ＡＰＬ値に応じて光量を制御した際の光量低下による明るさの減少を補うようにゲイン値を決定する。例えば、調光した後の光量をＣ、画像信号の赤色成分の信号レベルをＲＬＶＬ（０〜２５５）、緑色成分の信号レベルをＧＬＶＬ（０〜２５５）、青色成分の信号レベルをＢＬＶＬ（０〜２５５）とすると、ゲイン値Ｇ２２は式２のように決定される。
Ｇ２２＝  ＭＩＮ（１÷Ｃ，２５５  ÷  ＭＡＸ（ＲＬＶＬ、ＧＬＶＬ、ＢＬＶＬ））      ・・・（式２）
【００４７】
すなわち、Ｇ２２はＲＬＶＬ、ＧＬＶＬとＢＬＶＬの比率（構成比）を維持する範囲内で最大となるゲイン値である。
【００４８】
選択部１１２は、ＡＰＬ値に応じて明度維持補正部１１０が決定するゲイン値Ｇ２１、又は、色度維持補正部１１１が決定したゲイン値Ｇ２２を選択する。例えば、ＡＰＬ値の変動が少ない場合は明度維持補正部１１０が出力するゲイン値Ｇ２１を選択する。これによりＡＰＬ値の変動が少ない場合は、光量の減少における明るさの減少を補うように画像を補正する。また、ＡＰＬ値が小さい値から大きい値へ大きく変化する場合、すなわち暗シーンから明シーンへ変化する場合は色度維持補正部１１１が決定したゲイン値Ｇ２２を選択する。暗シーンから明シーンへ変化する場合に、色度が変わらないような範囲で画像信号レベルが補正されるので、明シーンの信号レベルの飽和による色変化が少なくなる。
【００４９】
次に、図５のフローチャートを参照して、本実施例における制御部１０３の動作を説明する。この処理は、制御部１０３がコンピュータプログラム（表示装置制御プログラム）に従って、所定の時間毎に実行する。また、実施例１と重複する処理に関しては適宜説明を省略する。
【００５０】
Ｓ１０では、最初に後述するＦＬＧを０にリセットする。また、画像信号検出部１０２が導出した、画像信号入力部１０１に入力された画像信号のＡＰＬ値を取得する。ここで、不図示の記憶部に記憶されているＡＰＬ値との差分
ＤＡＰＬ＝現在のＡＰＬ  −  記憶部に記憶されているＡＰＬ      ・・・（式３）
を演算する。その後、演算したＤＡＰＬの値が、正の値である所定の閾値以上か否かを判定する。所定の閾値以上の場合、ＦＬＧ＝１、それ以外のときにＦＬＧ＝０として、不図示の記憶部に記憶する。ここでの判定は、換言すれば、入力された画像信号が、暗いシーンから明るいシーンに変化したとき、ＦＬＧ＝１となり、それ以外のとき、ＦＬＧ＝０となる。また、取得したＡＰＬ値を不図示の記憶部に記憶する。
【００５１】
Ｓ１３では、Ｓ１０で記憶したＦＬＧと決定した光量制御値に基づいてゲイン値を決定する。ＦＬＧ＝１のとき、色度維持補正部１１１が決定したゲイン値Ｇ２２を、ＦＬＧ＝０のとき、明度維持補正部１１０が決定したゲイン値２１を、ゲイン値として決定する。
【００５２】
以上のように実施例２によれば、画像の信号レベルの変化に応じて画像信号の補正処理を変更することが可能となる。従って、画像信号のレベルが暗いシーンから明るいシーンに変化した場合、光量制御部１０５の光量変化よりも、画像信号のレベルが早く変化するため、明るい画像の信号レベルの飽和を軽減し、表示品位を向上させることができる。
【００５３】
以上、本発明の好ましい実施形態について説明したが、本発明はこれらの実施形態に限定されず、その要旨の範囲内で種々の変形及び変更が可能である。
【００５４】
上記実施例では、ＡＰＬ値は現在の画像信号のＡＰＬ値を用いていたが、過去のＡＰＬ値を不図示の記憶部に記憶し、それらの平均値をＡＰＬ値として用いてもよい。
【００５５】
また、実施例２において、ゲイン値を決定する際、ＦＬＧ結果によって、式１、式２の何れかの計算式のみでゲイン値を演算してもよい。
【符号の説明】
【００５６】
１０３  制御部
１０４  光源部
１０５  光量制御部
１０７  画像処理部
【図１】
2019028130.tif 000003
【図２】
2019028130.tif 000004
【図３】
2019028130.tif 000005
【図４】
2019028130.tif 000006
【図５】
2019028130.tif 000007
【図６】
2019028130.tif 000008
【図７】
2019028130.tif 000009
【図８】
2019028130.tif 000010
【図９】
2019028130.tif 000011
【図１０】
2019028130.tif 000012
【図１１】
2019028130.tif 000013